(57)【特許請求の範囲】
【請求項１】
メス部材と、スライド部材と、オス部材と、付勢手段とを備えたバックルであって、
前記メス部材内には収容空間が形成され、前記収容空間の前端側には係止部が上方に向けて突設され、前記係止部から離れた後端側にはベルトを予め接合しておくベルト取付部が設けられており、
前記スライド部材は前記メス部材の表面上で水平に往復移動可能であるとともに、前記スライド部材と前記メス部材との間には対応するスライド溝およびガイド部が設けられ、かつ前記スライド部材は前記メス部材の係止部を遮蔽または露出させることができ、
前記オス部材の前端側には係合部が下方に向けて突設されるとともに、前記オス部材の係合部が前記メス部材の係止部に対して垂直方向上方から係合し、
前記係合部から離れた後端側にはベルトを予め接合しておくベルト取付部が設けられており、
前記付勢手段は、前記メス部材の収容空間内に収容されるとともに、自体の弾性復元力により前記スライド部材を前記オス部材の係合部上方を覆う位置に押圧付勢することで、前記オス部材が垂直方向上方に移動して外れるのを防止することを特徴とするバックル。
【請求項２】
前記メス部材の収容空間内には前記付勢手段を収容するための収容室が設けられており、
前記スライド部材には前記収容室内を往復移動するスライダが下方に向けて延出されていることを特徴とする請求項１に記載のバックル。
【請求項３】
前記スライド部材におけるスライダの後方側面には前記収容室に対応した突起が設けられており、
前記付勢手段の一端が前記突起に嵌着され、前記付勢手段の他端が前記収容室の内壁面に当接していることを特徴とする請求項２に記載のバックル。
【請求項４】
前記メス部材の係止部の後方には、前記スライド部材の移動を規制するストッパ部が設けられていることを特徴とする請求項１に記載のバックル。
【請求項５】
前記スライド部材が前記付勢手段を押圧して圧縮変形させたとき、前記スライド部材が前記メス部材の係止部から離れて、前記メス部材の係止部が露出した状態となり、前記オス部材の係合部が前記係止部に対応して係合することを特徴とする請求項１に記載のバックル。
【請求項６】
前記オス部材の係合部の前端がガイド円弧面として形成されるとともに、前記係合部の下方には前記収容空間の底面に密接する延出部が設けられていることを特徴とする請求項１に記載のバックル。
【請求項７】
前記オス部材の係合部と延出部との間にはＬ字状角部が形成されており、前記Ｌ字状角部は前記スライド部材の前端に当接してスライド部材を後方に移動させることを特徴とする請求項６に記載のバックル。
【発明の詳細な説明】
【技術分野】
【０００１】
本発明はバックルであって、特に、オス部材の係合部が垂直方向上方からメス部材の係止部に係合するとともに、付勢手段の弾性復元力により、スライド部材がオス部材の係合部上方を覆う位置に押圧付勢されることによって、オス・メス部材の水平方向への抗引張り力を集中させることで、オス部材が係合箇所から直接外れることを防止できる前開き式のバックルである。
【背景技術】
【０００２】
現在使用されている前開き式のバックルの多くが、オス・メス式の前開き式バックルである。しかも前開き式バックルの用途の種類はかなり多く、多くは布製ベルトが通されて巻回されることによって、靴用留め具、リュックサック、スーツケース、肩掛けベルト、リュックサックのフロントベルトバックル、またはその他布製ベルトで固定が必要な物品などに応用することができる。
【０００３】
図１１に示すものを参照されたい。これは従来のオス・メス式の前開き式バックルの立体分解図である。
図中から明確に理解できるように、このような従来の前開き式バックルは主にオス部材Ａの両側に弾性腕部Ａ１が各々設けられるとともに、二つの弾性腕部Ａ１の間には棒状体Ａ２が設けられておいる。そして、メス部材Ｂの前端には開口Ｂ１が設けられるとともに、開口B１にはガイドレールＢ２が設けられている。
【０００４】
これにより、オス部材Ａの弾性腕部Ａ１および棒状体Ａ２がメス部材Ｂの開口B１から挿入されて、オス部材Ａの棒状体Ａ２がメス部材ＢのガイドレールＢ２に位置合せされる。そして挿入された後には、弾性腕部Ａ１の末端の係止爪Ａ３がメス部材Ｂの両側の側部開口Ｂ３に係合するとともに、係止爪Ａ３および弾性腕部Ａ１との間の折り返し面に形成された切欠きＡ４が側部開口Ｂ３の側壁面Ｂ４に係止されて固定される。
【発明の開示】
【発明が解決しようとする課題】
【０００５】
しかしながら、上記したオス・メス部材では係合の効果が得られるものの、以下のような万全とは言えない欠点がある。
１．従来の前開き式バックルは水平方向に互いに係合しており、オス・メス部材Ａ，Ｂとの間における係合構造では水平方向の引張り力に耐えなければならない。そのため、過度に大きな引張り力が発生すると、オス・メス部材Ａ，Ｂが直接水平方向に外れてしまう（つまり係合方向に外れる）可能性がある。よって、この前開き式バックルの構造における改善の余地があることは明確である。
【０００６】
２．上記した従来のオス部材Ａは単に二つの弾性腕部Ａ１および末端の係止爪Ａ３をメス部材Ｂの側部開口Ｂ３への係合に用いるのみであり、もしこの一つの薄い弾性腕部Ａ１のみに頼るとなると全体としての係合力の脆弱化を招く。しかも、係合力は左右両側に分散してしまい、布製ベルトの荷重がかかると、過度に大きな作用力により直接、弾性腕部Ａ１を破損させてしまい、弾性腕部Ａ１の変形、場合によっては破断を招く可能性がある。しかもこのような設計構造では、弾性腕部Ａ１の係止爪Ａ３が不注意で外力により押圧され、または係合が不完全な場合、弾性腕部Ａ１が直接外れてしまう問題が発生する可能性もある。
【０００７】
３．上記した従来のオス部材Ａは、メス部材Ｂに挿入されるとき、オス部材Ａの弾性腕部Ａ１および中央の棒状体Ａ２がメス部材Ｂの開口Ｂ１内のガイドレールＢ２に完全に位置合わせされないことにより位置ずれが生じると、使用者が続いて係合動作をするときの不便をきたし、弾性腕部Ａ１および棒状体Ａ２が破損して湾曲変形、破断を引き起こす可能性がある。
【０００８】
４．従来のオス部材Ａの弾性腕部Ａ１および棒状体Ａ２は片方固定で延出しており、その弾性腕部Ａ１の末端が延出した係止爪Ａ３は逆鈎状となっているので、オス部材Ａが係合していないときには、この弾性腕部Ａ１の末端の係止爪Ａ３が衣服またはその他異物に引っ掛かり、破断または変形を生じる可能性がある。
【０００９】
５．従来のオス部材Ａは棒状体Ａ２を別途設計して、オス部材Ａとメス部材Ｂとの係合公差を厳格に、正確にする必要があるので、製品の歩留まりが悪くなってしまう。
よって、上記した従来技術の問題および欠点を如何に解決するかということは、当業者が研究して改善すべき方向である。
【００１０】
従って、発明者は上記問題および欠点に鑑み、関連する資料を集め、多面的な評価および思索を経て、しかも当業者が積み重ねた長年の経験をもって、絶えず試作および修正を重ねて、このような「バックル」の発明がなされた。
【課題を解決するための手段】
【００１１】
本発明のバックルは、メス部材と、スライド部材と、オス部材と、付勢手段とを備えたバックルであって、
前記メス部材内には収容空間が形成され、前記収容空間の前端側には係止部が上方に向けて突設され、前記係止部から離れた後端側にはベルトを予め接合しておくベルト取付部が設けられており、
前記スライド部材は前記メス部材の表面上で水平に往復移動可能であるとともに、前記スライド部材と前記メス部材との間には対応するスライド溝およびガイド部が設けられ、かつ前記スライド部材は前記メス部材の係止部を遮蔽または露出させることができ、
前記オス部材の前端側には係合部が下方に向けて突設されるとともに、前記オス部材の係合部が前記メス部材の係止部に対して垂直方向上方から係合し、
前記係合部から離れた後端側にはベルトを予め接合しておくベルト取付部が設けられており、
前記付勢手段は、前記メス部材の収容空間内に収容されるとともに、自体の弾性復元力により前記スライド部材を前記オス部材の係合部上方を覆う位置に押圧付勢することで、前記オス部材が垂直方向上方に移動して外れるのを防止することを特徴とする。
【００１２】
即ち、上記構成のバックルによれば、従来における前開き式のバックルが水平方向に係合されるのとは異なり、主にオス部材の係合部を垂直方向上方からメス部材の係止部に係合し、更にスライド部材でオス部材の係合部上方を押圧固定するので、その係合方向と抗水平引張り力方向とが直交することになる。これにより、従来技術のように係合方向と抗引張り力方向とが同方向であるということから、オス・メス部材に過度に大きな水平引張り力が作用したときに、同方向で外れてしまう、場合によっては破損してしまうということを解決できる。
【００１３】
また、上記構成のバックルによれば、メス部材の係止部とオス部材の係合部とが対応して係合された後、付勢手段の弾性復元力によりスライド部材をオス部材の係合部上方を覆う位置に押圧付勢し、オス・メス部材の抗引張り力を集中させることによって、従来の構造よりも大きな水平引張り力に耐えることができる。しかも、スライド部材が垂直方向に当接して、オス部材の係合部がメス部材の係止部から垂直方向に外れるのを防止して、優れた抗引張り力効果を達成することができる。
【００１４】
更に、上記構成のバックルによれば、使用者がスライド部材を一定距離スライドさせなければ、オス部材の係合部がメス部材の係止部に対して、垂直に係合または外れることはなく、更に付勢手段を設けることで、使用者は特定の力を作用させなければ、スライド部材を押し開くことはできない。そこで、従来技術のように誤って接触することでオス・メス部材が外れてしまう不具合を解決することができる。
【００１５】
尚、上記構成のバックルにおいて、前記メス部材の収容空間内には前記付勢手段を収容するための収容室が設けられており、
前記スライド部材には前記収容室内を往復移動するスライダが下方に向けて延出されていることが望ましい。
【００１６】
更に、上記構成のバックルにおいて、前記スライド部材におけるスライダの後方側面には前記収容室に対応した突起が設けられており、
前記付勢手段の一端が前記突起に嵌着され、前記付勢手段の他端が前記収容室の内壁面に当接していることが望ましい。
【００１７】
また、上記構成のバックルにおいて、前記メス部材の係止部の後方には、前記スライド部材の移動を規制するストッパ部が設けられていることが望ましい。
【００１８】
また、上記構成のバックルにおいて、前記スライド部材が前記付勢手段を押圧して圧縮変形させたとき、前記スライド部材が前記メス部材の係止部から離れて、前記メス部材の係止部が露出した状態となり、前記オス部材の係合部が前記係止部に対応して係合することが望ましい。
【００１９】
また、上記構成のバックルにおいて、前記オス部材の係合部の前端がガイド円弧面として形成されるとともに、前記係合部の下方には前記収容空間の底面に密接する延出部が設けられていることが望ましい。
【００２０】
また、上記構成のバックルにおいて、前記オス部材の係合部と延出部との間にはＬ字状角部が形成されており、前記Ｌ字状角部は前記スライド部材の前端に当接してスライド部材を後方に移動させることが望ましい。
【発明の効果】
【００２１】
このように、本発明のバックルは、従来の構造よりも大きな水平引張り力に耐えることができると共に、スライド部材が垂直方向に当接して、オス部材の係合部がメス部材の係止部から垂直方向に外れるのを防止して、優れた抗引張り力効果を達成することができる。
更に、従来技術のように誤って接触することでオス・メス部材が外れてしまう不具合を解決することができる。
【発明を実施するための最良の形態】
【００２２】
上記目的および効果を達成するために、本発明で採用する技術的手段およびその構造は、ここに図面あげて、本発明の好ましい実施形態について特徴および機能を以下のとおり詳しい説明を行うことで、完全なる理解を図るものである。
【００２３】
本発明の立体分解図およびメス部材とスライド部材との組立概略図である図1、図2を同時に参照されたい。
図中から明確に理解できるように、本発明の前開き式のバックルは、メス部材1と、スライド部材2と、オス部材3と、付勢手段4とを備えている。
【００２４】
このうち、前記メス部材１内には収容空間１０が形成されており、しかも収容空間１０の前端側には係止部１１が上方に向けて突設されており、そしてメス部材１の後端側には布製ベルト（ベルト）を固定するためのベルト取付部１２が設けられている。更に、収容空間１０内には付勢手段４を収容するための収容室１３が設けられ、しかも収容室１３と係止部１１との間にはストッパ部１４が設けられ、またメス部材１の左右両側には水平方向のスライド溝１５がそれぞれ設けられており、かつスライド溝１５の上方にはガイド斜面１６が設けられている。
【００２５】
前記スライド部材２はメス部材１の収容空間１０の表面に設けられるとともに、スライド部材２は左右両側にて側面板２１がそれぞれ下方に延出し、そして側面板２１の末端にはスライド溝１５に対応して嵌合するガイド部２２が設けられている。また、二つの側面板２１の間にはスライダ２３が下方に向けて延出されるとともに、スライダ２３の後方側面にはメス部材１の収容室１３に対応した突起２４が設けられている。
【００２６】
前記オス部材３の前端側には係合部３１が下方に向けて突設されるとともに、係合部３１の前端はガイド円弧面３１１として形成されている。しかも係合部３１の下方には収容空間１０の底面に密接する延出部３１２が設けられ、係合部３１から離れた後端側には布製ベルトの固定に供されるベルト取付部が設けられている。
【００２７】
前記付勢手段４はメス部材１の収容室１３内に固定されるとともに、付勢手段４の一端が収容室１３の内壁面に当接し、他端がスライド部材２の突起２４に嵌着されている。
したがって、メス部材１とスライド部材２とを組み立てるとき、まず付勢手段４の一端をスライド部材２の突起２４に嵌着するとともに、スライド部材２のスライダ２３と付勢手段４とがメス部材１の収容室１３内に圧入される。
【００２８】
そして、付勢手段４の他端が収容室１３の内壁面に当接すると同時に、スライド部材２の左右両側の側面板２１末端のガイド部２２がメス部材１のガイド斜面１６によりガイドされて（図２に示す）、ガイド部２２がガイド斜面１６を越えた後にスライド溝１５内に嵌入して、スライド部材２がメス部材１の表面上で水平に往復移動することにより、本発明の全体的な組立が完了する。
【００２９】
本発明の好ましい実施形態の使用前における立体外観図、側面断面図、好ましい実施形態の使用時における立体外観図、側面断面図、および好ましい実施形態の使用後の立体外観図、側面断面図である図３、図４、図５、図６、図７、図８を参照されたい。
【００３０】
図中から明確に理解できるように、メス部材１とオス部材３とが互いに係合される際、スライド部材２を後方に押してメス部材１の表面上を移動させる。主にスライド部材２のガイド部２２をメス部材１のスライド溝１５内で水平方向に往復移動させ、相対的にスライド部材２のスライダ２３が同様にメス部材１の収容室１３内を水平移動することで、スライド部材２のスライダ２３が付勢手段４を押圧して圧縮した時に、スライド部材２がメス部材１の係止部１１から離れて係止部１１が開放される（図３、４に示すとおり）。
【００３１】
このように、オス部材３の係合部３１が垂直方向上方からメス部材１の係止部１１に対応して係合した後（図５、図６に示すとおり）、スライド部材２に対する押さえ力が解放されると、付勢手段４の弾性復元力によって、スライド部材２のスライダ２３がメス部材１のストッパ部１４により止められる元の位置にまでスライド部材２を復帰させると共に、スライド部材２はオス部材３の係合部３１の上方を覆う位置に押圧付勢される（図７、図８に示すとおり）。
【００３２】
したがって、スライド部材２が復位したとき、そのスライド部材２はオス部材３の係合部３１の前端におけるガイド円弧面３１１に沿って移動し、オス部材３をメス部材１の表面上に押圧付勢する。そして、オス部材３の係合部３１下方の延出部３１２がメス部材１の収容空間１０の底面に密接した状態で、スライド部材２がオス部材３の係合部３１上方を押圧規制することにより、オス部材３が浮き上がったり、垂直方向にずれたりするのを防止している。このような構造で、付勢手段４の弾性復元力によりスライド部材２がオス部材３の表面上を押圧規制することで、オス部材３が垂直方向上方にずれるのを防止して、オス部材３の係合部３１がメス部材１の係止部１１から外れるのを回避している。
【００３３】
また、上記したオス・メス部材に設けられているベルト取付部１２及びベルト取付部３２は、布製ベルトを通して巻回するか、または挟持、熱溶着方式で布製ベルトをベルト取付部１２，３２上に接合するかして固定される。
【００３４】
続いて、本発明の他の好ましい実施形態の使用時における側面断面図である図9、図10を参照されたい。
【００３５】
図中から明確に理解できるように、上記実施形態では、使用者が指でスライド部材２をメス部材１表面上で後方にスライドさせるように押し動かした後で、オス部材３の係合部３１を係合させている。しかしながら、これ以外にも使用者は指でスライド部材２を押し動かすことなく、オス部材３の係合部３１および延出部３１２が形成しているＬ字状角部３３をメス部材１の前端に当接させるとともに、直接スライド部材２の前端を後方に移動させるように押し動かす。そして、スライド部材２が一定距離後方に移動した後、その係合部３１および底部の延出部３１２がすぐさま下方に移動し、メス部材１の係止部１１とで互いに係合した状態となると、付勢手段４の弾性復元力により押圧付勢されたスライド部材２がオス部材３の表面上を押圧固定する。
【００３６】
したがって、本発明の前開き式のバックルが従来技術を改善する技術的要点は以下のとおりである。
１．従来の前開き式のバックルでは水平方向に係合しており、従来の水平係合の設計構造では水平方向の引張り力に耐えなければならず、オス・メス部材が過度に大きな引張り力によって直接外れてしまうか、場合によっては破損してしまうが、本発明はこれとは異なる。したがって、本発明は主にオス部材３の係合部３１を垂直方向上方からメス部材１の係止部１１に係合し、更にスライド部材２でオス部材３の係合部３１上方を押圧固定するので、その係合方向と抗水平引張り力方向とが直交することになる。これにより、係合方向と抗引張り力方向とが異なり、従来技術のように係合方向と抗引張り力方向とが同方向であるということから、オス・メス部材が外れてしまうという不具合を解決することができる。
【００３７】
２．本発明は主に、メス部材１の係止部１１とオス部材３の係合部３１とが対応して係合された後、付勢手段４の弾性復元力によりスライド部材２をオス部材３の係合部３１上方を覆う位置に押圧付勢するものであるが、このような設計構造では、オス・メス部材の抗引張り力を集中させることによって、従来の構造よりも大きな水平引張り力に耐えることができる。しかも、スライド部材２が垂直方向に当接して、オス部材３の係合部３１がメス部材１の係止部１１から垂直方向に外れるのを防止して、優れた抗引張り力効果を達成するという長所がある。
【００３８】
３．使用者はスライド部材２を一定距離スライドさせなければ、オス部材３の係合部３１がメス部材１の係止部１１に対して、垂直に係合または外れることはなく、更に付勢手段４を設けることで、使用者は特定の力を作用させなければ、スライド部材２を押し開くことはできない。そこで、従来技術のように誤って接触することでオス・メス部材が外れてしまう不具合を解決できる。
【００３９】
従って、本発明は主にオス部材３の係合部３１を垂直方向上方からメス部材１の係止部１１に係合し、更に付勢手段４の弾性復元力を借りてスライド部材２をオス部材３の係合部３１上方を覆う位置に押圧付勢することによって、オス部材３がメス部材１から垂直方向上方に外れるのを防止するものを主な保護の重点とするものである。そして、この直交する係合方向および抗引張り力方向により、その引張り力全体が集中してオス・メス部材が外れるのを回避できるものである。
【００４０】
ただし、上記したものは本発明の好ましい実施形態に過ぎず、これにより本発明の特許範囲を限定するものではないので、本発明の明細書および図面の内容を運用してなされる簡易な付加および等価の構造的改変は、いずれも本発明の特許範囲内に含まれるべきであることを合わせて明言しておく。
【００４１】
上記をまとめるに、本発明の前開き式のバックルは使用時において顕著な効果の増進が見られ、特許の出願要件に適合するものであるため、ここに法に基づき特許出願するものである。審査官殿には本願に一日も早く特許査定が下されることにより、発明者の苦労による発明が保証されることを願うものである。もし貴局におかれては、何らかの疑問がある場合には、発明者は協力を惜しむものではないので、極力書簡にて指示していただきますよう切望する次第である。
【図面の簡単な説明】
【００４２】
【図１】本発明の立体分解図である。
【図２】本発明のメス部材とスライド部材との組立概略図である。
【図３】本発明の好ましい実施形態の使用前における立体外観図である。
【図４】本発明の好ましい実施形態の使用前における側面断面図である。
【図５】本発明の好ましい実施形態の使用時における立体外観図である。
【図６】本発明の好ましい実施形態の使用時における側面断面図である。
【図７】本発明の好ましい実施形態の使用後における立体外観図である。
【図８】本発明の好ましい実施形態の使用後における側面断面図である。
【図９】本発明の他の好ましい実施形態の使用時における側面断面図である。
【図１０】本発明の他の好ましい実施形態の使用時における側面断面図である。
【図１１】従来のオス・メスの前開き式バックルの立体分解図である
【符号の説明】
【００４３】
１、メス部材                  ２、スライド部材
３、オス部材                  ４、付勢手段
１０、収容空間                １１、係止部
１２、結合部                  １３、収容室
１４、ストッパ部              １５、スライド溝
１６、ガイド斜面              ２１、側面板
２２、ガイド部                ２３、スライダ
２４、突起                    ３１、係止部
３２、結合部                  ３３、L字状角部
３１１、ガイド円弧面          ３１２、延出部
Ａ、オス部材                  Ａ１、弾性腕部
Ａ２、棒状体                  Ａ３、係止爪
Ａ４、切欠き                  Ｂ、メス部材
Ｂ１、開口                    Ｂ２、ガイドレール
Ｂ３、側部開口                Ｂ４、側壁面
【図１】
0005103328.tif 000002
【図２】
0005103328.tif 000003
【図３】
0005103328.tif 000004
【図４】
0005103328.tif 000005
【図５】
0005103328.tif 000006
【図６】
0005103328.tif 000007
【図７】
0005103328.tif 000008
【図８】
0005103328.tif 000009
【図９】
0005103328.tif 000010
【図１０】
0005103328.tif 000011
【図１１】
0005103328.tif 000012